(57)【要約】【課題】  信頼性の高い画像形成条件の適正化を，短時間で行うことのできる画像形成装置を提供すること。【解決手段】  本発明の画像形成装置は，テストパターン記憶部と，変形位置記憶部とを有する。テストパターン記憶部は，画像形成部の画像形成条件の適正化に用いる，低濃度区間と高濃度区間とにより構成されたテストパターンを記憶している。変形位置記憶は，中間転写ベルトの変形部を記憶している。そして，画像形成部の画像形成条件を適正化する際には，中間転写ベルトの変形部には，テストパターンの高濃度区間を配置させる。また，テストパターンの低濃度区間については，中間転写ベルトの変形部以外の正常な部分に担持させる。【選択図】図５
2014119549.tif 000002
【特許請求の範囲】
【請求項１】
トナー像を形成する画像形成部と，
前記画像形成部から転写されたトナー像を担持する中間転写ベルトと，
前記中間転写ベルトのトナー像担持面上の位置を検出位置として，その検出位置の反射光強度を検出することにより，トナー像担持面上のトナー像の濃度の情報を取得する像濃度検出部とを有する画像形成装置において，
像濃度の低い低濃度区間と像濃度の高い高濃度区間とにより構成されたテストパターンを記憶するテストパターン記憶部と，
前記中間転写ベルトに変形癖がついている箇所である変形部の，前記中間転写ベルトの周方向における位置を記憶している変形位置記憶部と，
前記画像形成部に前記テストパターンを形成させ，そのテストパターンの中間転写ベルト上での像濃度を前記像濃度検出部によって検出させ，その検出値に基づいて前記画像形成部の画像形成条件を適正化する画像安定化制御部とを有し，
前記画像安定化制御部は，前記画像形成条件を適正化するときには，
前記テストパターンの前記低濃度区間を変形部に重ならないように形成させつつ，前記高濃度区間を変形部に重なるように形成させるテストパターンの組み換えを行うものであることを特徴とする画像形成装置。
【請求項２】
請求項１に記載の画像形成装置において，
前記画像安定化制御部は， 
前記変形位置記憶部が変形部の位置を記憶している場合には，前記テストパターンの組み換えを行うことにより前記画像形成条件の適正化を行い，
前記変形位置記憶部が変形部の位置を記憶していない場合には，前記テストパターンの組み換えを行わずに前記画像形成条件の適正化を行うものであることを特徴とする画像形成装置。
【請求項３】
請求項１または請求項２に記載の画像形成装置において，
前記高濃度区間は，前記画像形成部が形成することのできる最低の濃度段階から最高の濃度段階のうちの中央の濃度段階よりも少なくとも高い濃度段階であることを特徴とする画像形成装置。
【請求項４】
請求項１から請求項３のいずれかに記載の画像形成装置において，
前記変形位置記憶部は，
前記中間転写ベルトをトナー像を担持させない状態で搬送させつつ，前記像濃度検出部による前記中間転写ベルトの検出位置における検出を行い，その検出値が変動する変動幅が，予め定めた変動幅についての閾値以上であった部分を，変形部として記憶するものであることを特徴とする画像形成装置。
【請求項５】
請求項１から請求項４までのいずれかに記載の画像形成装置において，
前記中間転写ベルトを支持するベルト支持部材を有し，
前記変形位置記憶部は，
前記中間転写ベルトが回転しない停止状態が継続したことにより，予め定めた変形部の形成条件が満たされた場合には，前記中間転写ベルトの前記支持部材によって支持されていることにより変形している変形領域に該当する部分を，変形部として記憶するものであることを特徴とする画像形成装置。
【請求項６】
請求項５に記載の画像形成装置において，
前記変形位置記憶部は，
記憶している前記中間転写ベルトの変形部が前記変形領域以外に位置する状態が継続したことにより，予め定めた変形部の回復条件が満たされた場合には、その変形部についての記憶を削除するものであることを特徴とする画像形成装置。
【請求項７】
請求項５または請求項６に記載の画像形成装置において，
前記変形位置記憶部は，
前記中間転写ベルトの周方向について，記憶している変形部の長さを，前記中間転写ベルトの回転しない停止状態の継続条件，および，記憶している前記中間転写ベルトの変形部が前記変形領域以外に位置する状態の継続条件に基づいて，前記変形領域の長さに予め定めた長さを加えた長さに補正するものであることを特徴とする画像形成装置。
【発明の詳細な説明】
【技術分野】
【０００１】
本発明は，画像形成部における画像形成条件を適正化することのできる画像形成装置に関する。さらに詳細には，画像形成部によりテストパターンを形成させ，そのテストパターンの検出値に基づいて画像形成部の画像形成条件を適正化することにより，色味の再現性の高い画像を安定して形成することのできる画像形成装置に関する。
【背景技術】
【０００２】
一般的な電子写真方式のカラー画像を形成することのできる画像形成装置は，イエロー（Ｙ），マゼンタ（Ｍ），シアン（Ｃ），ブラック（Ｋ）の４色のトナーにより画像が形成される。このため，各色のトナー像を形成するための４つの画像形成部を有している。また，タンデム型の画像形成装置には，形成された各色のトナー像を重ね合わせるための中間転写ベルトを有しているものがある。このような画像形成装置では，中間転写ベルト上のトナー像は，中間転写ベルトの外周面に転写ローラーなどを圧接させてなる転写ニップにおいて用紙に転写される。
【０００３】
また，画像形成装置においては，各画像形成部により色味の再現性の高いトナー像を安定して形成させるため，テストパターンを用いた画像形成条件（帯電装置の帯電バイアス，露光装置の露光光量および露光位置，現像装置の現像バイアスなど）の適正化を行う補正が行われる。すなわち，その補正では，各画像形成部によりそれぞれ該当色のテスト用のトナー像であるテストパターンを形成させ，そのテストパターンを中間転写ベルト上でセンサーにより検出する。そして，そのテストパターンの検出値に基づいて，各画像形成部の画像形成条件がそれぞれ適切となるような制御を行うのである。
【０００４】
ここで，中間転写ベルトは通常，その両端がローラーによって支持されている。このため，画像形成装置が動作しない放置状態が長時間続いた場合，中間転写ベルトのローラーによって支持されている部分には，クリープ変形の生じた変形部が形成される。なお，形成された変形部は，画像形成に伴って中間転写ベルトが回転することにより，やがて消滅する。
【０００５】
しかし，画像形成条件の補正を行うときには，消滅前の変形部が中間ベルトに存在することもある。そして，中間転写ベルトの変形部にテストパターンが担持されている場合，その変形部に担持されているテストパターンのセンサーの検出値には，ノイズが発生してしまうことがあった。すなわち，テストパターンを正確に検出することができないことにより，画像形成条件の適正な補正ができないことがあった。
【０００６】
そこで例えば，変形部に担持されたテストパターンの検出値にノイズが発生した場合には，これをノイズ補正によって除去することが考えられる。また例えば，特許文献１には，中間転写ベルトの変形部などの特徴点に，その特徴点をセンサーで検知できないようにするテストパターンを配置する画像形成装置が開示されている。これにより，特徴点の影響を受けずに画像形成条件の補正を行うことができるとされている。
【先行技術文献】
【特許文献】
【０００７】
【特許文献１】特開２００８−２８７１５３号公報
【発明の概要】
【発明が解決しようとする課題】
【０００８】
しかしながら，ノイズ補正後のテストパターンの検出値は，実際のテストパターンの状態を正確に検出したものであるとはいえない。このため，ノイズ補正後のテストパターンの検出値を用いては，信頼性の高い画像形成条件の補正を行うことができないという問題があった。
【０００９】
また上記の特許文献１では，中間転写ベルトの特徴点の位置に，その特徴点をセンサーで検知できないようにするテストパターンが配置できない場合には，特徴点と重ならないようにテストパターンを配置させている。すなわち，中間転写ベルトの特徴点を避けつつ，テストパターンを配置させている。このため，中間転写ベルト上におけるテストパターンの，中間転写ベルトの回転方向における先端から後端までの長さが，変形部を避けて配置した分，長くなってしまう。よって，画像形成条件の補正を行うための時間が長くかかってしまうという問題があった。
【００１０】
本発明は，前記した従来の技術が有する問題点の解決を目的としてなされたものである。すなわちその課題とするところは，信頼性の高い画像形成条件の適正化を，短時間で行うことのできる画像形成装置を提供することである。
【課題を解決するための手段】
【００１１】
この課題の解決を目的としてなされた本発明の画像形成装置は，トナー像を形成する画像形成部と，画像形成部から転写されたトナー像を担持する中間転写ベルトと，中間転写ベルトのトナー像担持面上の位置を検出位置として，その検出位置の反射光強度を検出することにより，トナー像担持面上のトナー像の濃度の情報を取得する像濃度検出部とを有する画像形成装置であって，像濃度の低い低濃度区間と像濃度の高い高濃度区間とにより構成されたテストパターンを記憶するテストパターン記憶部と，中間転写ベルトに変形癖がついている箇所である変形部の，中間転写ベルトの周方向における位置を記憶している変形位置記憶部と，画像形成部にテストパターンを形成させ，そのテストパターンの中間転写ベルト上での像濃度を像濃度検出部によって検出させ，その検出値に基づいて画像形成部の画像形成条件を適正化する画像安定化制御部とを有し，画像安定化制御部は，画像形成条件を適正化するときには，テストパターンの低濃度区間を変形部に重ならないように形成させつつ，高濃度区間を変形部に重なるように形成させるテストパターンの組み換えを行うものであることを特徴とする画像形成装置である。
【００１２】
本発明の画像形成装置では，画像形成条件を適正化する際には，中間転写ベルトの変形部には，テストパターンの高濃度区間を配置させる。本発明者らは，トナーの付着量の多い高濃度のトナー像については，中間転写ベルトの変形部に担持されていたとしても，像濃度検出部によって検出される際にノイズが発生しないことを見出した。よって，ノイズ補正などを行う必要がないため，画像形成部の画像形成条件の適正化に係る信頼性を高くすることができる。また，テストパターンの低濃度区間については，中間転写ベルトの変形部以外の正常な部分に担持させることができるため，テストパターンの中間転写ベルトの回転方向における長さが長くなることはない。よって，画像形成条件の適正化を，短い時間で行うことができる。
【００１３】
また，上記に記載の画像形成装置において，画像安定化制御部は，変形位置記憶部が変形部の位置を記憶している場合には，テストパターンの組み換えを行うことにより画像形成条件の適正化を行い，変形位置記憶部が変形部の位置を記憶していない場合には，テストパターンの組み換えを行わずに画像形成条件の適正化を行うものであってもよい。変形部がない中間転写ベルトについては，テストパターンをどのように配置させたとしても，それを像濃度検出部によって適切に検出することができるからである。
【００１４】
また，上記に記載の画像形成装置において，高濃度区間は，画像形成部が形成することのできる最低の濃度段階から最高の濃度段階のうちの中央の濃度段階よりも少なくとも高い濃度段階であることとしてもよい。
【００１５】
また，上記に記載の画像形成装置において，変形位置記憶部は，中間転写ベルトをトナー像を担持させない状態で搬送させつつ，像濃度検出部による中間転写ベルトの検出位置における検出を行い，その検出値が変動する変動幅が，予め定めた変動幅についての閾値以上であった部分を，変形部として記憶するものであってもよい。中間転写ベルトの変形部については，トナーを担持させない状態で像濃度検出部によって検出した場合，その検出値の変動幅が大きくなる。一方，中間転写ベルトの変形部以外の正常な部分については，像濃度検出部により，変動幅の小さい安定した検出値を得ることができる。これにより，中間転写ベルトの変形部を，像濃度検出部を用いて検出することができるからである。
【００１６】
また，上記に記載の画像形成装置において，中間転写ベルトを支持するベルト支持部材を有し，変形位置記憶部は，中間転写ベルトが回転しない停止状態が継続したことにより，予め定めた変形部の形成条件が満たされた場合には，中間転写ベルトの支持部材によって支持されていることにより変形している変形領域に該当する部分を，変形部として記憶するものであってもよい。中間転写ベルトが回転しない停止時間，環境温度や環境湿度の条件により，変形領域に変形部が形成されたことを推定することができるからである。
【００１７】
また，上記に記載の画像形成装置において，変形位置記憶部は，記憶している中間転写ベルトの変形部が変形領域以外に位置する状態が継続したことにより，予め定めた変形部の回復条件が満たされた場合には、その変形部についての記憶を削除するものであってもよい。中間転写ベルトの変形部は，変形領域から外れることにより，正常な形状へと回復する。よって，その回復した変形部であった部分については，テストパターンの低濃度区間を配置させたとしても，それを像濃度検出部によって適切に検出することができるからである。
【００１８】
また，上記に記載の画像形成装置において，変形位置記憶部は，中間転写ベルトの周方向について，記憶している変形部の長さを，中間転写ベルトの回転しない停止状態の継続条件，および，記憶している中間転写ベルトの変形部が変形領域以外に位置する状態の継続条件に基づいて，変形領域の長さに予め定めた長さを加えた長さに補正するものであることが好ましい。例えば，変形部の中間転写ベルトの回転方向についての長さは，変形領域の長さと同じであるとは限らず，変形領域の長さよりも長いことがある。よって，そのような場合においても，画像形成条件の適正化に係る信頼性を高くすることができるからである。なお，変形部の中間転写ベルトの回転方向についての長さが，変形領域の長さよりも短い場合には，その短い分の長さをマイナスの値として加える補正を行うこともできる。
【発明の効果】
【００１９】
本発明によれば，信頼性の高い画像形成条件の適正化を，短時間で行うことのできる画像形成装置が提供されている。
【図面の簡単な説明】
【００２０】
【図１】本形態に係る画像形成装置の概略構成図である。
【図２】本形態に係る画像形成装置の制御構成の概略を示す図である。
【図３】従来の階調補正に係るテストパターンの配置の一例を説明するための図である。
【図４】従来の階調補正に係るテストパターンの配置における濃度センサーの検出値を示した図である。
【図５】本形態の階調補正に係るテストパターンの配置を示す図である。
【図６】中間転写ベルトの変形特性を示す図である
【図７】中間転写ベルトの回復特性を示す図である
【図８】濃度センサーの検出値の変動幅と高変動幅範囲との関係を示す図である。
【発明を実施するための形態】
【００２１】
以下，本発明を具体化した実施の形態について，添付図面を参照しつつ詳細に説明する。本形態は，電子写真方式のプリンターにおいて本発明を具体化したものである。
【００２２】
図１に，本形態の画像形成装置１の概略構成を示す。画像形成装置１は，中間転写ベルト３０を有する，いわゆるタンデム方式のカラープリンターである。中間転写ベルト３０は導電性を有する無端状のベルト部材であり，弾性のある材料により構成されているものである。中間転写ベルト３０は，その図１中両端部がローラー３１，３２によって支持されている。画像形成時には，図１中右側のローラー３１が反時計回りに回転駆動される。これにより，中間転写ベルト３０および図１中左側のローラー３２が従動回転する。
【００２３】
また，図１に太い実線で示すように，中間転写ベルト３０の，ローラー３１，３２によって支持されている領域をそれぞれ，変形領域Ｒ１，２とする。変形領域Ｒ１の中間転写ベルト３０の回転方向における長さは，ローラー３１の外径の円周の長さの半分の長さである。変形領域Ｒ２の中間転写ベルト３０の回転方向における長さは，ローラー３２の外径の円周の長さの半分の長さである。なお，本形態において，ローラー３１，３２の直径はいずれも同じである。このため，変形領域Ｒ１，２の中間転写ベルト３０の回転方向における長さは，同じである。
【００２４】
中間転写ベルト３０のうち，図１中右側のローラー３１に支持されている部分の外周面には，２次転写ローラー４０が設けられている。２次転写ローラー４０と中間転写ベルト３０の外周面とは接触しており，その接触している転写ニップＮ１により，２次転写領域が形成されている。
【００２５】
また，中間転写ベルト３０のうち，図１中左側のローラー３２に支持されている部分の外周面には，ベルトクリーナー４１が設けられている。ベルトクリーナー４１は中間転写ベルト３０の外周面に圧接されており，その接触している部分により，転写残トナーを回収する回収領域４２が形成されている。なお，ベルトクリーナー４１は，後述するテスト用のトナー像の回収も行う。
【００２６】
中間転写ベルト３０の図１中下部には左から右に向かって順に，イエロー（Ｙ），マゼンタ（Ｍ），シアン（Ｃ），ブラック（Ｋ）の各色の画像形成部１０Ｙ，１０Ｍ，１０Ｃ，１０Ｋが配置されている。画像形成部１０Ｙ，１０Ｍ，１０Ｃ，１０Ｋはいずれも，各色のトナー像を中間転写ベルト３０上に転写するためのものである。また，画像形成部１０Ｙ，１０Ｍ，１０Ｃ，１０Ｋはいずれも，その構成は同じである。このため，図１では，画像形成部１０Ｙによって代表して符号をつけている。
【００２７】
すなわち，画像形成部１０Ｙ，１０Ｍ，１０Ｃ，１０Ｋは，円筒状の静電潜像担持体である感光体１１，および，その周囲に配置された帯電器１２，現像ユニット１４，および感光体クリーナー１６を有している。また，感光体１１と中間転写ベルト３０を挟んで対向する位置には，１次転写ローラー１５が配置されている。
【００２８】
さらに，各色の画像形成部１０Ｙ，１０Ｍ，１０Ｃ，１０Ｋの図１中下方には，露光装置１３が配置されている。帯電器１２は，感光体１１の表面を均一に帯電させるためのものである。露光装置１３は，画像データに基づいたレーザー光を感光体１１の表面に照射させ、静電潜像を形成するためのものである。現像ユニット１４は，現像ローラー１８により，感光体１１の表面にトナーを付与するためのものである。
【００２９】
中間転写ベルト３０の図１中上方には，各色のトナーを収容したホッパー１７Ｙ，１７Ｍ，１７Ｃ，１７Ｋが配置されている。これらに収容されている各色のトナーはそれぞれ，該当色の現像ユニット１４へと適宜補給される。これにより，現像ユニット１４内のトナー量は，良好な画像を形成することのできる正常な範囲内に保たれている。
【００３０】
中間転写ベルト３０の回転方向における画像形成部１０Ｋの下流側であって転写ニップＮ１の上流側の位置には，中間転写ベルト３０上に転写されたトナー像の像濃度を検出するための濃度センサー２０が設けられている。濃度センサー２０は，中間転写ベルト３０の外周面を検出位置としている。濃度センサー２０は，例えば画像濃度の調整に用いられる，検出位置に向かって光を照射する投光部とその反射光を受光する受光部とを有するものである。濃度センサー２０は，検出位置を通過するトナー像の濃度が低いときほど，高い検出値を出力するものである。
【００３１】
また図１では，帯電器１２としてローラー形状をしたローラー帯電方式のものを示しているが，本発明はこれに限るものではない。コロナ放電方式の帯電チャージャー，ブレード状の帯電部材，またはブラシ状の帯電部材等を用いても良い。また，感光体クリーナー１６として，板状でその一端部が感光体１１の外周面に接触しているものを示しているが，本発明はこれに限るものではない。その他のクリーニング部材，例えば固定ブラシ，回転ブラシ，ローラーまたはそれらのうちの複数の部材を組み合わせたものを使用することができる。あるいは，感光体１１上の未転写トナーを現像ユニット１４により回収するクリーナーレス方式を採用すれば，感光体クリーナー１６はなくてもよい。
【００３２】
また，画像形成装置１の下部には，着脱可能な給紙カセット５１が装着されている。給紙カセット５１の図１中右側より上方に向かっては，搬送経路５０が設けられている。そして，給紙カセット５１に積載により収容された用紙Ｓは，その最上部のものより１枚ずつ給紙ローラー５２によって搬送経路５０に送り出されるようになっている。
【００３３】
給紙ローラー５２により送り出された用紙Ｓの搬送経路５０には，１対のレジストローラー５３，転写ニップＮ１，定着装置６０，排紙ローラー５４がこの順で配置されている。搬送経路５０のさらに下流側である画像形成装置１の上面には，排紙部５５が設けられている。レジストローラー５３は，用紙Ｓを転写ニップＮ１へ送り出すタイミングを調整するためのものである。定着装置６０は，定着ニップＮ２において，用紙Ｓを加熱しつつ加圧することにより，用紙Ｓに転写されたトナー像の定着処理を行うためのものである。
【００３４】
次に，本形態の画像形成装置１による，通常の画像形成動作の一例について簡単に説明する。以下の説明は，給紙カセット５１に収容されている用紙Ｓに，４色のトナーを用いてカラー画像を形成するプリントモードにおける画像形成動作の一例である。
【００３５】
通常の画像形成時には，中間転写ベルト３０および各色の感光体１１はそれぞれ，図１に矢印で示す向きに所定の周速度で回転される。感光体１１の外周面は，まず，帯電器１２によりほぼ一様に帯電される。次に，帯電された感光体１１の外周面には，露光装置１３によって画像データに応じた光が投射され，静電潜像が形成される。続いて，静電潜像は現像ユニット１４の現像ローラー１８の回転により供給されるトナーによって現像され，感光体１１上にはトナー像が形成される。
【００３６】
感光体１１上に形成された各色のトナー像は，１次転写ローラー１５によって中間転写ベルト３０上に転写（１次転写）される。すなわち，中間転写ベルト３０上には，イエロー，マゼンタ，シアン，ブラックのトナー像がこの順で重ね合わされる。中間転写ベルト３０に転写されず，１次転写ローラー１５を過ぎた後も感光体１１上に残留している転写残トナーは，感光体クリーナー１６によって掻き取られ，感光体１１上から除去される。そして，重ね合わされた４色のトナー像は，中間転写ベルト３０によって転写ニップＮ１に搬送される。
【００３７】
一方，給紙カセット５１に収容されている用紙Ｓは，給紙ローラー５２によって最上部のものから１枚ずつ搬送経路５０に引き出される。引き出された用紙Ｓは，搬送経路５０に沿って搬送され，レジストローラー５３により，中間転写ベルト３０に載置されたトナー像とタイミングを合わせて転写ニップＮ１に到達する。そして，転写ニップＮ１において，重ね合わされた４色のトナー像が用紙Ｓに転写（２次転写）される。
【００３８】
トナー像が転写された用紙Ｓは，さらに搬送経路５０の下流側へと搬送される。すなわち，用紙Ｓは，定着装置６０によってトナー像が定着された後，排紙ローラー５４によって排紙部５５に排出される。なお，転写ニップＮ１を通過した後も中間転写ベルト３０上に残留するトナー像は，回収領域４２において，ベルトクリーナー４１によって掻き取られる。これにより，中間転写ベルト３０上から除去される。
【００３９】
次に，本形態の画像形成装置１の制御構成の概略を図２に示す。画像形成装置１は，コントローラー部２と装置制御部３とを有している。コントローラー部２は，画像形成装置１の全体を制御するためのものである。例えば，ユーザーがパソコンにより入力した画像形成の指令を受信することにより，画像形成装置１には印刷ジョブが発生する。その印刷ジョブは，コントローラー部２により管理されている。また，コントローラー部２は，管理している印刷ジョブのデータを，画像形成装置１において画像を形成するためのデータに変換するための処理などを行う。その変換処理後のデータは，装置制御部３に送信される。
【００４０】
装置制御部３は，ＣＰＵ４と記憶部５とを有している。記憶部５には，画像形成を実行するための各種のプログラムなどが記憶されている。また，画像形成部１０における画像形成の条件の補正に用いるテスト用のトナー像のパターンであるテストパターンＰ，中間転写ベルト３０の変形している部分の位置情報である変形部情報ＨＩなどを記憶している。テストパターンＰおよび変形部情報ＨＩについては，後に詳述する。
【００４１】
ＣＰＵ４は，記憶部５の読み出しや書き込み，各画像形成部１０の動作などを制御するためのものである。そして，ＣＰＵ４は，画像形成装置１において，コントローラー部２より受信した画像データの画像形成を，記憶部５に記憶されている情報に基づいて行う。このため，コントローラー部２とＣＰＵ４との間では，ドットカウンター値などの各種の情報がやりとりされる。また，後述する階調補正制御などの実行も行う。
【００４２】
ここで，画像形成装置１では，各画像形成部１０によって形成されるトナー像におけるトナーの付着量は，画像形成条件が同じであっても，画像形成装置１の周囲の温度や湿度などの環境条件によって異なる。なお，画像形成部１０の画像形成条件とは，帯電器１２の帯電バイアス，露光装置１３の露光光量および露光位置，現像ユニット１４の現像ローラー１８に印加される現像バイアスなどのことである。そして，各画像形成部１０によって形成されるトナー像は，トナーの付着量が異なることによって濃度が異なるものとなる。
【００４３】
よって，画像形成装置１では，装置の環境条件が異なる状況においても，色味の再現性の高い画像を安定して形成するため，各画像形成部１０の画像形成条件を適正化する階調補正が行われる。階調補正は，具体的には，まず，各画像形成部１０において，記憶部５に記憶されているテストパターンＰを形成する。次に，そのテストパターンＰを，各画像形成部１０から中間転写ベルト３０上に転写させる。そして，中間転写ベルト３０に転写させたテストパターンを濃度センサー２０によって検出し，その検出値に基づいて，各画像形成部１０の画像形成条件を適正化する補正を行う。
【００４４】
ここにおいて，まず，従来より行われている階調補正の一例について，図３により説明する。図３には，テストパターンＰと，中間転写ベルト３０の展開した状態とを示している。テストパターンＰは，図３に示すように，イエロートナーのテストパターンＰＹと，マゼンタトナーのテストパターンＰＭと，シアントナーのテストパターンＰＣと，ブラックトナーのテストパターンＰＫとにより構成されている。
【００４５】
各色のテストパターンＰＹ，ＰＭ，ＰＣ，ＰＫはいずれも，図３の右側ほどトナーの付着量が多いものである。つまり，テストパターンＰＹ，ＰＭ，ＰＣ，ＰＫは，図３において右側を階調２５５／２５５の最高濃度とし，図中左側ほど濃度の低いものである。図３においては，例えばテストパターンＰＹについてはさらに，ＰＹ１，ＰＹ２，ＰＹ３，ＰＹ４の区間により示している。
【００４６】
なお，区間ＰＹ１，ＰＹ２，ＰＹ３，ＰＹ４は，これらの区間内において濃度が均一であることを示しているわけではなく，実際には各区間内においてもその図中左右方向について，右側ほど濃度の高い６４段階の濃淡が存在する。この点，テストパターンＰＭ，ＰＣ，ＰＫについても同様である。また，このテストパターンＰは，本形態の記憶部５に記憶されているものと同じものである。
【００４７】
図３の中間転写ベルト３０は，無端状のものを展開しつつ連続して並べた状態を示している。つまり，実際の中間転写ベルト３０の一周の長さである周長は，図３に示す長さＬＢである。また，図３に示す中間転写ベルト３０の図中上面が，図１における外周側の面である。そして，図３に示す中間転写ベルト３０には，図中上向きに突出した変形部Ｈ１，Ｈ２が存在する。
【００４８】
変形部Ｈ１，Ｈ２は，中間転写ベルト３０に必ずしも存在するわけではなく，中間転写ベルト３０が長時間，回転されない状態で放置された場合に形成されるものである。すなわち，変形部Ｈ１，Ｈ２は，中間転写ベルト３０がローラー３１，３２によって同じ箇所を長時間支持されていることにより，その支持箇所がクリープ変形して変形癖のついた部分である。このため，変形部Ｈ１，Ｈ２は，図１に示す中間転写ベルト３０のうち，変形領域Ｒ１，Ｒ２に該当する箇所に形成されたものである。なお，変形部Ｈ１，Ｈ２の中間転写ベルト３０の回転方向における長さをいずれも，ＬＨとする。
【００４９】
そして，従来の階調補正では，テストパターンＰを中間転写ベルト３０の表面に，例えば図３に示す位置関係となるように転写させる。そして，そのテストパターンＰを濃度センサー２０によって検出する。つまり，図３では，変形部Ｈ１上には，テストパターンＰＣの区間ＰＣ３，ＰＣ４の一部が担持される。変形部Ｈ２上には，テストパターンＰＹの区間ＰＹ３，ＰＹ４の一部が担持される。
【００５０】
また，図３のテストパターンＰの濃度センサー２０による検出値を図４に示す。前述したように，濃度センサー２０は，検出するトナー像の濃度が低いときほど，高い検出値を出力する。よって，濃度センサー２０の検出値は，テストパターンＰの濃度の低い部分ほど，高い値となっている。
【００５１】
そして，図４に示すように，テストパターンＰのうち，変形部Ｈ１，Ｈ２の位置に担持されたテストパターンＰＣ，ＰＹの箇所の濃度センサー２０による検出値には，ノイズが発生している。よって，従来の階調補正では，そのノイズを除去するため，図４に破線で示すような検出値の補正を行っていることがあった。しかし，濃度センサー２０の検出値に発生したノイズの補正を行うことにより，その補正後に得られるテストパターンＰの検出値は，実際のテストパターンＰの状態とは異なるおそれがある。このため，その補正後の検出値を用いた場合には，信頼性の高い階調補正が行われているとは言えない。
【００５２】
また，その他の従来の階調補正の例では，テストパターンＰのすべてを，中間転写ベルト３０の変形部Ｈ１，Ｈ２に重ならないように配置することがある。これにより，濃度センサー２０の検出値には，ノイズが発生しないようにすることができるからである。しかし，テストパターンＰを変形部Ｈ１，Ｈ２に重ならないように配置する方法では，テストパターンＰを変形部Ｈ１，Ｈ２を回避して配置させた分，テストパターンＰの中間転写ベルト３０の回転方向における長さが長くなる。このため，階調補正に要する時間が長くかかってしまうという問題があった。
【００５３】
そこで，本形態では，変形部Ｈ１，Ｈ２の部分には，トナーの付着量が多く，濃度の高いテストパターンＰの部分を配置する。すなわち，本発明者らは，トナーの付着量が多い高濃度のトナー像については，中間転写ベルト３０の変形部Ｈ１，Ｈ２に担持されていた場合であっても，濃度センサー２０によって検出される際にノイズが発生しないことを見出した。
【００５４】
そして具体的には，例えば図５に示すように，テストパターンＰのうち最も高濃度の区間，つまり，区間ＰＹ１，ＰＭ１，ＰＣ１，ＰＫ１が変形部Ｈ１，Ｈ２に重なるように配置する。そのため，ＣＰＵ４は，記憶部５のテストパターンＰが，図５に示すような配置となるように組み換えを行う。そして，各画像形成部１０には，その組み換え後のテストパターンＰを形成させる。
【００５５】
なお，本形態の濃度センサー２０であれば，２５６階調のうち階調１２８／２５５以上の濃度のトナー像については，変形部Ｈ１，Ｈ２の影響をほぼ受けることなく信頼性の高い検出値を得ることができる。よって，変形部Ｈ１，Ｈ２には，テストパターンＰのうちの区間ＰＹ２，ＰＭ２，ＰＣ２，ＰＫ２が重なるように配置してもよい。このため，本形態では，テストパターンＰの階調１２８／２５５以上の濃度の区間を高濃度の区間とし，階調１２８／２５５未満の濃度の区間を低濃度の区間とする。
【００５６】
ＣＰＵ４は，中間転写ベルト３０が回転したときの変形部Ｈ１，Ｈ２の位置を，記憶部５の変形部情報ＨＩを基に把握している。中間転写ベルト３０の周長や回転速度などは設計上，既知だからである。なお，変形部情報ＨＩは，前述したように，変形部Ｈ１，Ｈ２の中間転写ベルト３０の上の位置情報である。これにより，テストパターンＰのうちの高濃度の区間を，中間転写ベルト３０の変形部Ｈ１，Ｈ２上に重ねることができる。
【００５７】
そして，図５に示すように，テストパターンＰの高濃度の区間を変形部Ｈ１，Ｈ２に重ねて配置させ，それを濃度センサー２０によって検出することにより，ノイズのない検出値を得ることができる。よって，濃度センサー２０の検出値の補正を行うことなく，信頼性の高い階調補正を行うことができる。
【００５８】
また，テストパターンＰの低濃度の区間については，変形部Ｈ１，Ｈ２以外の正常な部分に配置させることができる。これにより，テストパターンＰを変形部Ｈ１，Ｈ２を回避して配置する必要がないため，テストパターンＰの中間転写ベルト３０の回転方向における長さが長くなることはない。よって，階調補正に要する時間についても，長くなることはない。
【００５９】
また，本形態の変形部情報ＨＩは，例えば，濃度センサー２０によって変形部の検出を行い，検出された変形部Ｈ１，Ｈ２を記憶させたものである。すなわち，トナーが付着していない状態の中間転写ベルト３０を回転させつつ濃度センサー２０による検出を行った場合，変形部Ｈ１，Ｈ２の部分については，濃度センサー２０の検出値が大きく変動する。この濃度センサー２０の検出値の変動が大きいことにより，その部分にテストパターンＰの低濃度の区間が担持された場合には，濃度センサー２０の検出値にノイズが発生するのである。
【００６０】
一方，トナーが付着していない状態の中間転写ベルト３０の変形部Ｈ１，Ｈ２以外の正常な部分については，濃度センサー２０の検出値の変動が小さく，ある程度の安定した検出値を得ることができる。なお，その濃度センサー２０の検出値の変動が小さい部分では，テストパターンＰの低濃度の区間を担持させた場合についても，濃度センサー２０による信頼性の高い検出値を得ることができる。濃度センサー２０の検出値の変動が小さい中間転写ベルト３０の部分は，変形部Ｈ１，Ｈ２ではない正常な部分だからである。
【００６１】
よって，濃度センサー２０の検出値が変動する変動幅について予め閾値を定めておく。そして，トナーが付着していない状態の中間転写ベルト３０を回転により検出位置を通過せつつ濃度センサー２０による検出を行い，その検出値の変動幅がその閾値以上の部分を，変形部Ｈ１，Ｈ２として記憶部５の変形部情報ＨＩに記憶させることができる。
【００６２】
濃度センサー２０による変形部の検出は，例えば，予め定めた時間毎に行うことができる。また，例えば画像形成装置１の電源が投入されたときなど，予め定めた状況において行うこととしてもよい。
【００６３】
また，画像形成装置１では，その画像形成後の中間転写ベルト３０の停止位置は，毎回同じであるとは限らない。このため，中間転写ベルト３０には，複数の変形部Ｈ１，Ｈ２の組み合わせが存在することがある。よって，濃度センサー２０による変形部の検出により複数の変形部Ｈ１，Ｈ２が検出された場合には，それらをすべて，記憶部５の変形部情報ＨＩに記憶させておけばよい。そして，複数ある変形部Ｈ１，Ｈ２の位置にはテストパターンＰの高濃度の区間を配置し，複数ある変形部Ｈ１，Ｈ２以外の正常な部分にはテストパターンＰの低濃度の区間を配置すればよい。
【００６４】
また前述したように，中間転写ベルト３０は弾性材料により構成されている。このため，変形部Ｈ１，Ｈ２は，形成された後，中間転写ベルト３０の回転に伴って元の正常な形状に戻ることとなる。また，画像形成装置１では，中間転写ベルト３０は，その回転後に毎回，必ず同じ位置で停止するわけではない。このため，変形部Ｈ１，Ｈ２は，中間転写ベルト３０が回転した後に停止することにより，変形領域Ｒ１，Ｒ２以外に位置することがある。そして，変形領域Ｒ１，Ｒ２以外に位置している変形部Ｈ１，Ｈ２についても同様に，元の正常な形状に戻ることとなる。すなわち，変形部Ｈ１，Ｈ２に係る変形癖は，中間転写ベルト３０が回転することによって変形領域Ｒ１，Ｒ２から外れることにより，クリープ変形した状態から正常な状態へと回復するのである。
【００６５】
そして，クリープ変形から回復することにより，濃度センサー２０による検出値の変動幅がその閾値未満となった変形部Ｈ１，Ｈ２の部分については，濃度センサー２０による変形部の検出において，変形部として検出されることはない。なお，クリープ変形から回復した変形部Ｈ１，Ｈ２であった部分には，テストパターンＰの低濃度の区間を担持させたとしても，濃度センサー２０による信頼性の高い検出値を得ることができる。クリープ変形から回復することにより，正常な部分となっているからである。
【００６６】
よって，記憶部５の変形部情報ＨＩは，濃度センサー２０による変形部の検出毎に，更新することが好ましい。変形部Ｈ１，Ｈ２が複数ある場合，さらには，変形部Ｈ１，Ｈ２がクリープ変形から回復した場合においても，最も新しい変形部情報ＨＩを用いることにより，信頼性の高い階調補正を行うことができるからである。
【００６７】
また，変形部情報ＨＩは，長時間放置された場合に変形領域Ｒ１，Ｒ２に位置する中間転写ベルト３０の部分を，変形部Ｈ１，Ｈ２として記憶部５に記憶させたものであってもよい。本発明者らの調査によれば，中間転写ベルト３０の変形領域Ｒ１，Ｒ２における変形特性は，図６に示すような傾向にあることが分かった。
【００６８】
図６において，横軸は，中間転写ベルト３０が回転しない画像形成装置１の放置時間を示している。縦軸は，中間転写ベルト３０の変形部Ｈ１，Ｈ２の，トナー像を担持していない状態での濃度センサー２０による検出値の変動幅を示している。なお，縦軸の濃度センサー２０による検出値の変動幅は，変形部Ｈ１，Ｈ２のうち，最も変動幅の大きい最大値により示している。さらに，図６には，中間転写ベルト３０の変形特性を，高温高湿度環境（ＨＨ），常温常湿度環境（ＮＮ），低温低湿度環境（ＬＬ）ごとに示している。また縦軸には，濃度センサー２０の検出値の変動幅についての閾値Ｔを示している。
【００６９】
そして，図６より，中間転写ベルト３０が回転しない放置時間が長いほど，濃度センサー２０の検出値の変動幅は大きくなる傾向にあることがわかる。さらには，低温低湿度環境（ＬＬ），常温常湿度環境（ＮＮ），高温高湿度環境（ＨＨ）の順に，すなわち，画像形成装置１の環境温度および環境湿度が高いほど，濃度センサー２０の検出値の変動幅は大きくなる傾向にあることがわかる。
【００７０】
よって，記憶部５には，図６に示す中間転写ベルト３０の変形特性を記憶させておく。そして，その変形特性に基づいて，ＣＰＵ４は，変形領域Ｒ１，Ｒ２に位置する中間転写ベルト３０の部分を，変形部Ｈ１，Ｈ２として記憶部５の変形部情報ＨＩに記憶させることができる。
【００７１】
具体的には，画像形成装置１の放置時間，環境温度および環境湿度より，濃度センサー２０の検出値の変動幅が閾値Ｔ以上となる条件であると判断した場合に，変形領域Ｒ１，Ｒ２に位置する中間転写ベルト３０の部分を変形部Ｈ１，Ｈ２として記憶部５の変形部情報ＨＩに記憶させる。すなわち，中間転写ベルト３０の停止状態の継続条件が，濃度センサー２０の検出値の変動幅が閾値Ｔ以上となる変形部Ｈ１，Ｈ２の形成条件を満たした場合に，中間転写ベルト３０の変形領域Ｒ１，Ｒ２の部分を，変形部Ｈ１，Ｈ２として変形部情報ＨＩに記憶させる。なお，中間転写ベルト３０の停止状態の継続条件が，中間転写ベルト３０の変形領域Ｒ１，Ｒ２の部分についての濃度センサー２０の検出値の変動幅が閾値Ｔ未満の条件である場合には，その部分が変形部Ｈ１，Ｈ２として記憶部５の変形部情報ＨＩに記憶されることはない。
【００７２】
一方，前述したように，変形部Ｈ１，Ｈ２は，中間転写ベルト３０が回転することによって変形領域Ｒ１，Ｒ２から外れることにより，クリープ変形した状態から正常な状態へと回復する。その変形部Ｈ１，Ｈ２の回復特性を図７に示す。
【００７３】
図７において，横軸は，変形部Ｈ１，Ｈ２が変形領域Ｒ１，Ｒ２から外れてからの経過時間を示している。縦軸は，中間転写ベルト３０の変形部Ｈ１，Ｈ２の，トナー像を担持していない状態での濃度センサー２０による検出値の変動幅を示している。図７においても，縦軸の濃度センサー２０による検出値の変動幅は，変形部Ｈ１，Ｈ２のうち，最も変動幅の大きい最大値により示している。さらに，図８においても，中間転写ベルト３０の回復特性を，高温高湿度環境（ＨＨ），常温常湿度環境（ＮＮ），低温低湿度環境（ＬＬ）ごとに示している。また図７の縦軸にも，濃度センサー２０の検出値の変動幅についての閾値Ｔを示している。
【００７４】
図７より，濃度センサー２０の検出値の変動幅は，変形部Ｈ１，Ｈ２が変形領域Ｒ１，Ｒ２から外れてからの経過時間が長いほど，小さくなる傾向にあることがわかる。さらには，高温高湿度環境（ＨＨ），常温常湿度環境（ＮＮ），低温低湿度環境（ＬＬ）の順に，すなわち，画像形成装置１の環境温度および環境湿度が低いほど，濃度センサー２０の検出値の変動幅は小さくなる傾向にあることがわかる。さらには，濃度センサー２０の検出値の変動幅が大きい変形部Ｈ１，Ｈ２ほど，その回復に長い時間を要することがわかる。
【００７５】
よって，記憶部５には，図７に示す中間転写ベルト３０の回復特性を記憶させておく。そして，その回復特性に基づいて，ＣＰＵ４には，記憶部５の変形部情報ＨＩに記憶されている変形部Ｈ１，Ｈ２の情報を削除させることができる。
【００７６】
具体的には，変形部Ｈ１，Ｈ２が変形領域Ｒ１，Ｒ２から外れてからの経過時間，環境温度および環境湿度より，その変形部Ｈ１，Ｈ２の濃度センサー２０による検出値の変動幅が閾値Ｔ未満になる条件であると判断した場合に，これらを変形部情報ＨＩから削除する。すなわち，変形部Ｈ１，Ｈ２が変形領域Ｒ１，Ｒ２以外に位置する状態の継続条件が，濃度センサー２０の検出値の変動幅が閾値Ｔ未満になる変形部Ｈ１，Ｈ２の回復条件を満たした場合に，その変形部Ｈ１，Ｈ２についての記憶を変形部情報ＨＩから削除する。
【００７７】
さらには，変形部Ｈ１，Ｈ２の長さＬＨは，常に一定であるとは限らない。例えば，画像形成装置１の放置時間が長いほど，形成される変形部Ｈ１，Ｈ２の長さＬＨは長くなる傾向にある。このため，変形部Ｈ１，Ｈ２の長さＬＨは，必ずしも変形領域Ｒ１，Ｒ２の長さと同じであるとは限らない。また，中間転写ベルト３０の回転方向について，変形部Ｈ１，Ｈ２における濃度センサー２０の検出値の変動幅が大きい範囲は，実際の変形部Ｈ１，Ｈ２の長さＬＨと同じであるとは限らない。
【００７８】
図８に，変形部Ｈ１，Ｈ２における濃度センサー２０の検出値の変動幅と，高変動幅範囲との関係を示す。縦軸の濃度センサー２０による検出値の変動幅は，変形部Ｈ１，Ｈ２のうち，最も変動幅の大きい最大値により示している。横軸の高変動幅範囲は，変形部Ｈ１，Ｈ２における濃度センサー２０の検出値の変動幅が，閾値Ｔ以上となる中間転写ベルト３０の回転方向についての範囲である。
【００７９】
図８より，縦軸に示す濃度センサー２０の検出値の変動幅が大きいほど，横軸に示す高変動幅範囲は長くなることがわかる。その要因として，濃度センサー２０の検出値の変動幅が大きい変形部Ｈ１，Ｈ２ほど，その長さＬＨが長いものであるということが挙げられる。また，濃度センサー２０の検出値の変動幅が大きく，長さＬＨが長い変形部Ｈ１，Ｈ２ほど，中間転写ベルト３０の回転に伴って大きく振動することとなる。このため，変形部Ｈ１，Ｈ２の実際の長さＬＨよりも，濃度センサー２０の検出する高変動幅範囲が長くなってしまうことが考えられる。
【００８０】
また，図８の横軸には，変形領域Ｒ１，Ｒ２の長さを示している。なお，高変動幅範囲が変形領域Ｒ１，Ｒ２の長さと同じ長さであるときの濃度センサー２０の検出値の変動幅を，図８の縦軸に，変動幅Ｂとして示している。これより，高変動幅範囲は，濃度センサー２０の検出値の変動幅によって，変形領域Ｒ１，Ｒ２の長さとは異なることがあることがわかる。すなわち，高変動幅範囲は，画像形成装置１の放置時間や変形領域Ｒ１，Ｒ２から外れてからの経過時間，さらには環境温度や環境湿度などの条件により，変形領域Ｒ１，Ｒ２の長さとは異なることがあることがわかる。
【００８１】
よって，記憶部５には，図６の変形特性および図７の回復特性とともに，図８の濃度センサー２０の検出値の変動幅と高変動幅範囲との関係についても記憶させておくことが好ましい。変形部情報ＨＩには，高変動幅範囲を変形部Ｈ１，Ｈ２として記憶させておくことにより，高変動幅範囲と変形領域Ｒ１，Ｒ２の長さとが異なる場合においても，信頼性の高い階調補正を行うことができるからである。
【００８２】
すなわち，変形特性（図６）により変形部Ｈ１，Ｈ２の形成条件が満たされた場合には，中間転写ベルト３０の変形領域Ｒ１，Ｒ２の部分を変形部Ｈ１，Ｈ２として変形部情報ＨＩに記憶させる。その後，実際に中間転写ベルト３０が回転を始めたときの放置時間とその間の環境温度および環境湿度との条件に基づいて，変形特性（図６）の縦軸に示す濃度センサー２０の検出値の変動幅を求める。求めた濃度センサー２０の検出値の変動幅より，図８に基づいて，変形部情報ＨＩに記憶した変形部Ｈ１，Ｈ２の補正を行えばよい。
【００８３】
具体的には，例えば，求めた濃度センサー２０の検出値の変動幅が図８の縦軸に示す変動幅Ｂよりも大きい場合には，変形領域Ｒ１，Ｒ２よりも高変動幅範囲が長いこととなる。この場合には，その高変動幅範囲が変形領域Ｒ１，Ｒ２よりも長い分の長さを，変形部情報ＨＩに記憶している変形部Ｈ１，Ｈ２に加える補正を行う。
【００８４】
なお，求めた濃度センサー２０の検出値の変動幅が図８の縦軸に示す変動幅Ｂよりも小さい場合には当然，その高変動幅範囲が変形領域Ｒ１，Ｒ２よりも短い分の長さを，変形部情報ＨＩに記憶した変形部Ｈ１，Ｈ２より減ずる補正を行う。この場合について換言すれば，変形部情報ＨＩに記憶している変形部Ｈ１，Ｈ２に，高変動幅範囲が変形領域Ｒ１，Ｒ２よりも短い分の長さをマイナスの値として加える補正を行っていることとなる。
【００８５】
また，回復特性（図７）により，変形部情報ＨＩに記憶した変形部Ｈ１，Ｈ２の，回復特性（図７）の縦軸に示す濃度センサー２０の検出値の変動幅が小さくなることもある。そのときには，その濃度センサー２０の検出値の変動幅より，図８の高変動幅範囲を求める。そして，その高変動幅範囲が変形部情報ＨＩに記憶している変形部Ｈ１，Ｈ２よりも短い分の長さを，変形部情報ＨＩに記憶している変形部Ｈ１，Ｈ２より減ずる補正を行うこともできる。この場合についても換言すれば，変形部情報ＨＩに記憶している変形部Ｈ１，Ｈ２に，これが図８より求めた高変動幅範囲よりも短い分の長さを，マイナスの値として加える補正を行っていることとなる。
【００８６】
そして，階調制御においては，変形部情報ＨＩに記憶している上記の補正後の変形部Ｈ１，Ｈ２について，テストパターンＰの高濃度の区間を配置するようにすればよい。これにより，例えば，変形部Ｈ１，Ｈ２の高変動幅範囲が変形領域Ｒ１，Ｒ２の長さよりも長い場合であっても，信頼性の高い階調補正を行うことができるからである。
【００８７】
また，前述したように，画像形成装置１では，その画像形成後の中間転写ベルト３０の停止位置が毎回異なることにより，中間転写ベルト３０には，複数の変形部Ｈ１，Ｈ２の組み合わせが存在することがある。よって，変形特性（図６）および回復特性（図７）より変形部Ｈ１，Ｈ２の組み合わせが複数あると判断される場合には，それらをすべて，記憶部５の変形部情報ＨＩに記憶させておけばよい。そして，複数ある変形部Ｈ１，Ｈ２の位置にはテストパターンＰの高濃度の区間を配置し，変形部Ｈ１，Ｈ２以外の中間転写ベルト３０の正常な部分にはテストパターンＰの低濃度の区間を配置すればよい。
【００８８】
以上詳細に説明したように，本発明の画像形成装置１は，テストパターンＰと変形部情報ＨＩとを記憶する記憶部５を有する。そして，各画像形成部１０の画像形成条件を適正化するための階調補正を行う際には，記憶部５に記憶されている変形部情報ＨＩに基づいて，テストパターンＰの組み換えを行う。すなわち，変形部情報ＨＩに記憶されている中間転写ベルト３０の変形部Ｈ１，Ｈ２には，テストパターンＰの高濃度の区間を配置させる。これにより，変形部Ｈ１，Ｈ２に係る濃度センサー２０の検出値にはノイズが発生することがなく，信頼性の高い階調補正を行うことができる。また，中間転写ベルト３０の正常な部分にはテストパターンＰの低濃度の区間を配置させることにより，短時間で階調補正を完了させることができる。
【００８９】
なお，本実施の形態は単なる例示にすぎず，本発明を何ら限定するものではない。従って本発明は当然に，その要旨を逸脱しない範囲内で種々の改良，変形が可能である。例えば，本発明はカラープリンターに限らず，モノクロプリンターにも適用可能である。また，公衆回線経由で印刷ジョブの送受信を行うような画像形成装置などにも適用可能である。
【符号の説明】
【００９０】
１…画像形成装置
３…装置制御部
４…ＣＰＵ
５…記憶部
１０Ｙ，１０Ｍ，１０Ｃ，１０Ｋ…画像形成部
２０…濃度センサー
３０…中間転写ベルト
８０…装置制御部
Ｐ…テストパターン
ＨＩ…変形部情報
Ｈ１，Ｈ２…変形部
【図１】
2014119549.tif 000003
【図２】
2014119549.tif 000004
【図３】
2014119549.tif 000005
【図４】
2014119549.tif 000006
【図５】
2014119549.tif 000007
【図６】
2014119549.tif 000008
【図７】
2014119549.tif 000009
【図８】
2014119549.tif 000010